(57)【特許請求の範囲】
【請求項１】
紙筒に巻回されたラップフィルムを収納する前面の略中央部分に孔を備えた箱型の本体側と、この本体側に開閉自在に設けられた開放側と、この開放側に設けたスライドカッターとで構成したラップフィルム収納箱に取り付けるラップフィルム回転補助機構であって、
該ラップフィルム回転補助機構は、フィルム貼着用プレートと、このフィルム貼着用プレートが設けられる木材・樹脂からなる回転自在のバーと、該バーを支持する支持軸とからなり、
該フィルム貼着用プレートは、前記支持軸に設けて、前記ラップフィルム収納箱の本体側に吊下する構成とし、
また、該フィルム貼着用プレートは、前記孔に当接する前記部分を欠截する構成としたラップフィルム回転補助機構。
【請求項２】
請求項１に記載のラップフィルム回転補助機構であって、
前記フィルム貼着用プレートの裏側に貼着手段を設けることを特徴としたラップフィルム回転補助機構。
【請求項３】
請求項１に記載のラップフィルム回転補助機構であって、
該ラップフィルム回転補助機構がラップフィルムを収容するラップフィルム収納箱に取り外し自在であることを特徴とするラップフィルム回転補助機構。
【発明の詳細な説明】
【技術分野】
【０００１】
本発明は、ラップフィルムの回転を補助するラップフィルム回転補助機構に関する。
【背景技術】
【０００２】
主に調理等で用いられるラップフィルムを使用する場合、ラップフィルム収納箱の本体
側に収納されているラップフィルムの端部を摘んで引っ張り出すこととなるが、この場合
、ラップフィルムによって静電気が発生し、ラップフィルムの角の部分が絡み、ラップフ
ィルムの角の部分が二重になることによってラップフィルムが切断し難くなったり、ラッ
プフィルムのスムーズな回転が阻害されたり、ラップフィルムが予期せぬ方向に向かって
切断されてしまう虞がある。
【０００３】
かかる弊害を解消するものとして、ラップフィルムを収納箱から取り出す時や物を包む
時に、ラップフィルムの端部が絡まないことを目的とするラップキャッチプレート（以下
、従来例１という）がある。この従来例１は、特開２００３−５４５７０で、その内容は
、静電気を活用したラップキャッチプレートをラップケースに組み合わせて、ラップフィ
ルム端部に貼付けてラップフィルムを絡みなく取り出せるようにしたものである。
【０００４】
しかし、従来例１は、ラップフィルムを使用する場合には毎回ラップキャッチプレート
をラップフィルム端部に貼付けて使用しなければならず煩雑である。また、ラップフィル
ム収納箱と別個のラップキャッチプレートをラップフィルム端部に貼付けてラップフィル
ムを絡みなく取り出せるようにしたものであり、確かに便利であるが、ラップフィルム収
納箱とラップキャッチプレートが別々の構成となっているため、ラップキャッチプレート
を紛失してしまう虞がある。
【０００５】
また、従来のラップフィルム収納箱として、ラップ収納箱（以下、従来例２という。）
がある。この従来例２は、特開２００１−１８０６６４で、その内容は、箱主体の前面板
に切断部によって切断されたラップ端部と交差し、且つ、箱主体長手方向の略中央部に設
けた指用凹所を設け、この指用凹所の裏面に発泡スチロール等の樹脂材で形成した覆い部
材を穴の裏面に設けることによってラップ端部を簡単に摘むことができ、ラップの引き出
しを容易に行うことができるものである。
【０００６】
しかし、従来例２においては、ラップを切断した後、箱前面にラップを貼着する手段が
設けられていないため、例えば、ラップフィルム自体が逆回転してラップの端部がラップ
フィルム自体に貼着した場合、ラップの端部を見つけ出すことが困難となる場合がある。
また、例えば、ラップの端部は見つけたとしても、ラップフィルムの端部の剥がし方如何
によっては、ラップフィルムが予期せぬ方向へ裂けてしまう虞がある。さらに、指用凹所
の裏面に発泡スチロール等の樹脂材で形成した覆い部材を穴の裏面に設けるものであるた
め、覆い部材のコストがかかってしまい、安価かつ簡易に製作することが困難となる場合
がある。
【０００７】
さらに、ラップフィルム収納箱の両端部に、ラップフィルムの芯ごと飛び出してしまう
のを防止するためのストッパーが設けられていない場合は、使用する際にラップフィルム
の芯ごと飛び出してしまう虞がある。
【０００８】
【特許文献１】特開２００３−５４５７０
【特許文献２】特開２００１−１８０６６４
【発明の開示】
【発明が解決しようとする課題】
【０００９】
本発明は上記事実に鑑み、ラップフィルムを引き出す際、ラップフィルムの角が絡むこ
となく綺麗に引き出せ、ラッピングする器の開口部を十分にフォローし、確実にシールで
き、また、内容物のこぼれ防止に有用で、ラップフィルムの回転を促し、ラップフィルム
を引き出し易くし、次回使用する際にラップフィルムの端部の位置が容易に把握でき、ラ
ップフィルムの芯の飛び出しを防止するためのストッパーが設けられていない場合であっ
ても、回転自在のバーによってラップフィルムの芯の飛び出しを防止し、ラップフィルム
を切断した後、次回使用する際にラップフィルムの端部を摘み易くし、また、安価、簡易
に製作することができるラップフィルム収納箱及びラップフィルム回転補助機構を提供す
ることを目的とするものである。
【課題を解決するための手段】
【００１０】
第１発明のラップフィルム回転補助機構は、紙筒に巻回されたラップフィルムを収納する前面の略中央部分に孔を備えた箱型の本体側と、この本体側に開閉自在に設けられた開放側と、この開放側に設けたスライドカッターとで構成したラップフィルム収納箱に取り付けるラップフィルム回転補助機構であって、該ラップフィルム回転補助機構は、フィルム貼着用プレートと、このフィルム貼着用プレートが設けられる木材・樹脂からなる回転自在のバーと、該バーを支持する支持軸とからなり、該フィルム貼着用プレートは、前記支持軸に設けて、前記ラップフィルム収納箱の本体側に吊下する構成とし、また、該フィルム貼着用プレートは、前記孔に当接する前記部分を欠截することを特徴とする。
【００１１】
第２発明のラップフィルム回転機構は、請求項１に記載のラップフィルム回転補助機構であって、前記フィルム貼着用プレートの裏側に貼着手段を設けることを特徴とする。
【００１２】
第３発明のラップフィルム回転機構は、請求項１に記載のラップフィルム回転補助機構であって、該ラップフィルム回転補助機構がラップフィルムを収容するラップフィルム収納箱に取り外し自在であることを特徴とする。
【発明の効果】
【００１３】
第１発明によれば、回転自在の木材・樹脂等からなるバーの支持軸に着脱自在にフィル
ム貼着用プレートを吊下しているため、ラップフィルム収納箱にフィルム貼着用プレート
が固定されることなく自由な状態で、スムーズにラップフィルムを引っ張り出すことがで
きるものを安価かつ簡易に製作できる。
【００１４】
第２発明によれば、ラップフィルム回転補助機構のフィルム貼着用プレートの裏側に貼
着手段を設けているため、ラップフィルム収納箱にフィルム貼着用プレートが固定された
状態で、スムーズにラップフィルムを引っ張り出すことができる。また、該フィルム貼着
用プレートのラップフィルム収納箱の本体側前面略中央に設けた孔に当接する部分を欠截
しているため、該孔に指を入れてラップフィルム端部を摘んでラップフィルムを引き出す
ことができる。
【００１５】
第３の発明によれば、該フィルム貼着用プレートのラップフィルム収納箱の本体側前面
略中央に設けた孔に当接する部分を欠截しているため、該孔に指を入れてラップフィルム
端部を摘んでラップフィルムを引き出すことができる。また、該ラップフィルム回転補助
機構がラップフィルムを収容するラップフィルム収納箱に取り外し自在の構成であるため
、ラップフィルムを使い切った後も他のラップフィルム収納箱に取り付けることができ、
ラップフィルム回転補助機構は何度でも使用することができる。
【００１６】
また、第１発明〜第３発明によれば、以下のような効果がある。該ラップフィルム収納箱の本体側前面略中央に孔を設け、本体側上方に軸支した木材・樹脂等からなる回転自在のバーと、本体側前面に設けたフィルム貼着用プレートを設けている。従って、回転自在のバーの上部にラップフィルムが乗りラップフィルムを引っ張ると該バーが回転し、ラップフィルムが巻回している紙筒の回転が促進され、ラップフィルムの端部が絡むことなくラップフィルムを送り出すことが可能となる。
【００１７】
回転自在のバーが紙筒に巻回されたラップフィルムの上部にあるため、ラップフィルムを引き出した時にラップフィルムを巻回した紙筒が上に持ち上がって該紙筒が箱から飛び出してしまうのを防止することができる。
【００１８】
また、フィルム貼着プレートにラップフィルムの端部が貼着されるため、ラップフィルムを切断し易くなり、ラップフィルムを切断した後も、ラップフィルムの端部はフィルム貼着プレートに貼着されているため、次回ラップフィルムを使用する際においてもラップフィルムの端部の位置が容易に認識できるため、次回使用する際に便利である。
【００１９】
本発明のバーの素材は、段ボールやチラシ、プラスチック等を再利用してバーの素材と
して用いることができるため、昨今、声高に叫ばれている地球環境問題においても非常に
有益なことである。また、家事に不慣れな者であっても、ラップフィルムの角が絡むこと
なくスムーズにラップフィルムを引き出すことができる。
【００２０】
また、ラップフィルムを使用する際、該孔を利用することによってラップフィルムの端
部を摘み易くなり、特に爪を伸ばしている女性が該孔があることによって、ラップフィル
ム収納箱の内部にまで指を入れることができるので、爪を傷めることが少ない。
また、本発明を使用することによってラップフィルムの端部を容易に摘むことができ、ま
た、ラップフィルムの角が絡むことがないため、朝の忙しい時間等でもスムーズにラップ
フィルムを取り出すことができるため、時間の節約となり有用である。
【発明を実施するための最良の形態】
【００２１】
次に、本発明の実施形態に係るラップフィルム収納箱及びラップフィルム回転補助機構
を図面に基づいて説明する。
【００２２】
図１は、本発明の第１の実施例であるラップフィルム収納箱の斜視図である。図２は、
本発明の第１の実施例であるラップフィルム収納箱の断面図である。図３は、本発明の第
１の実施例であるラップフィルム収納箱の平面図である。図４は、本発明の第２の実施例
であるラップフィルム収納箱の斜視図である。図５は、本発明の第３の実施例であるラッ
プフィルム回転補助機構をラップフィルム収納箱に取り付けた状態の斜視図である。図６
は、本発明の第４の実施例であるラップフィルム回転補助機構をラップフィルム収納箱に
取り付けた状態の斜視図である。図７は、本発明の第５の実施例であるラップフィルム収
納箱の斜視図である。図８は、本発明の第３の実施例であるラップフィルム回転補助機構
の展開図である。図９は、本発明の第３の実施例であるラップフィルム回転補助機構の断
面図である。図１０は、本発明の第６の実施例であるラップフィルム回転補助機構の要部
拡大図である。
【００２３】
本発明の第１の実施例５０は、図１に示すように、開放側３と本体側２からなるラップ
フィルム収納箱１で、開放側３の一端にスライドカッター４を設け、ラップフィルム収納
箱１の本体側２の前面２Ａ略中央に孔２Ｄと、本体側２の上部２Ｃに回転自在のバー７を
設け、本体側２の前面２Ａに設けたフィルム貼着プレート８とからなる。
【００２４】
ラップフィルム収納箱１の本体側２の前面２Ａの略中央に設けた孔２Ｄは、ラップフィ
ルム５を使用する際に、ラップフィルム５の端部５Ａを摘み易くするもので、孔２Ｄはラ
ップフィルム収納箱１に切り込みを入れたり、ラップフィルム収納箱１の１部を欠截した
りして設けることができる。
【００２５】
切り込みは、ラップフィルム５の端部５Ａを摘み易くするものであればどのようなもの
であつてもかまわないが、一例を示すと、ラップフィルム収納箱１の本体側２の前面２Ａ
の略中央に幅方向Ｙに２本のラインを入れて略正方形の形状とする。そして、略正方形の
内部を、鼓型の切り込みを入れ、バネ機能を備えた鼓型の上下の台形の部分がラップフィ
ルム収納箱１の内部又は外部に作動し、指をラップフィルム収納箱１の内部へ潜り込ませ
ることができ、ラップフィルム５の端部５Ａを摘み易くすることができる。このバネ機能
を備えた孔２Ｄは、孔２Ｄに指を入れると鼓型の上下の台形の部分がラップフィルム収納
箱１の内部へ動き、孔２Ｄに指から出すと鼓型の上下の台形の部分が元に戻り、鼓型の上
下の台形の部分が異物の侵入を排除する機能を有するため、孔２Ｄの部分からゴミ等の異
物が侵入することが少なくなり、衛生的にラップフィルム５を使用することができる。
【００２６】
また、ラップフィルム収納箱１の１部を欠截して孔２Ｄを設けた場合、孔２Ｄの形状は
、ラップフィルム５の端部５Ａを摘み易くなるものであればどのような形状であってもよ
い。例えば、正方形の他、長方形、円形、星形等が考えられる。
【００２７】
ラップフィルム収納箱１の上部２Ｃの一部を本体側２に折り込むことによって回転自在
のバー７を設けるスペースを設けている。なお、図示しないが、ラップフィルム収納箱１
の上部２Ｃの一部を、欠截することによって回転自在のバー７を設けるスペースを設ける
こともできる（他の例において同じ）。そして、ラップフィルム収納箱１の本体側２上部
２Ｃに設けた回転自在のバー７は、バー本体７Ａと、支持軸７Ｂと、保持プレート７Ｃと
からなる。バー本体７Ａの素材は、樹脂・アルミ・木材等を用いることができる。バー本
体７Ａが木材の場合は、ラップフィルム５が触れた場合であっても静電気が発生すること
がなく、抵抗なくラップフィルム５を取り出すことができる。なお、図示しないが、回転
自在のバー７は、少なくとも２本以上設けることも可能であり、この場合例えば、２本の
バー７を上下に設け、バー７とバー７の間にラップフィルム５を通してラップフィルムを
引き出す。
【００２８】
バー本体７Ａが樹脂の場合は、バー本体７Ａの表面に凹凸をつけると、静電気の除去や
ラップフィルム５がバー本体７Ａから剥がれ易くなるといった効果が期待できる。
【００２９】
回転自在のバー７のバー本体７Ａは、支持軸７Ｂを通すための孔７Ｄを設けているが、
孔７Ｄは、支持軸７Ｂを貫通させるため、貫通しているものや、孔７Ｄに支持軸７Ｂの１
部を通すため、貫通させずバー本体７Ａの両端部１０の一部のみ孔７Ｄを設けているもの
が挙げられる。
【００３０】
そして、貫通した孔７Ｄの場合は、１本の支持軸７Ｂを貫通孔７Ｄに挿入し、両端部１
０の一部のみ孔７Ｄをあけた場合は、２本の支持軸７Ｂを孔７Ｄに挿入する。保持プレー
ト７Ｃをラップフィルム収納箱１の本体側２両端部２Ｂに設け、ラップフィルム収納箱１
の本体側２の両端部２Ｂに孔６をあけ、支持軸７Ｂを孔６に通し、支持軸７Ｂの一端を保
持プレート７Ｃに固定させる。
【００３１】
ラップフィルム５がバー本体７Ａの上部に乗り、ラップフィルム５を引き出すとラップ
フィルム５が巻かれている紙筒５Ｂが回転すると同時に支持軸７Ｂを支点としてバー本体
７Ａも回転し、スムーズにラップフィルム５を取り出すことができる。
【００３２】
ラップフィルム収納箱１の本体側２の前面２Ａにフィルム貼着プレート８を設けている
。このフィルム貼着プレート８は、一般にはポリエチレン等の樹脂製であるが、静電性の
ある材質であればどのような材質のものであってもかまわないことは勿論である。
【００３３】
本図ではフィルム貼着プレート８は、長方形であるが、ラップフィルム５の端部５Ａが
貼着すればどのような形状であってもよい。例えば長方形の他、正方形、円形、三角形、
星形等が挙げられる。
【００３４】
図２は、本発明の第１の実施例５０であるラップフィルム収納箱１の断面図である。本
図ではラップフィルム収納箱１の本体側２を分断している。断面視略正方形のラップフィ
ルム収納箱１の本体側２に紙筒５Ｂに巻回されたラップフィルム５が存置されている。ま
た、本図では、ラップフィルム収納箱１の上部２Ｃの一部を本体側２に折り込むことによ
って回転自在のバー７を設けるスペースを設けている。そして、ラップフィルム収納箱１
の本体側２の上部２Ｃに回転自在のバー７を設けている。
【００３５】
そして回転自在のバー７の上部にラップフィルム５が乗り、ラップフィルム５を引き出
すとラップフィルム５が巻回した紙筒５Ｂが回転し、それとともにバー本体７Ａも回転し
、スムーズにラップフィルム５を取り出すことができる。
【００３６】
図３は、本発明の第１の実施例５０であるラップフィルム収納箱１の平面図である。ラ
ップフィルム収納箱１は開放側３と本体側２とからなっている。開放側３の一端には、ラ
ップフィルム５を切断するスライドカッター４を設けている。ラップフィルム収納箱１に
は、紙筒５Ｂに巻回されたラップフィルム５が存置されており、ラップフィルム収納箱１
の上部２Ｃの一部を本体側２に折り込むことによって回転自在のバー７を設けるスペース
を設けている。そして、ラップフィルム収納箱１の本体側２の上部２Ｃには回転自在のバ
ー７を設けている。
【００３７】
ラップフィルム５が巻回している紙筒５Ｂのとび出しを防止するストッパーを設けてい
ないラップフィルム収納箱１の場合、ラップフィルム収納箱１の本体側２の上部２Ｃにバ
ー７を設けることによってラップフィルム５が巻回している紙筒５Ｂがとび出すのを防止
することができる。
【００３８】
図４は、本発明の第２の実施例６０であるラップフィルム収納箱１の斜視図である。ラ
ップフィルム収納箱１に取り付ける第２の実施例６０のラップフィルム回転補助機構２０
は、本体２１、バー２２、支持軸２３からなる。またさらに細分化すると、ラップフィル
ム回転補助機構２０の本体２１は、貼着部２１Ａ、係止部２１Ｂ、載置部２１Ｅ、とから
なる。ラップフィルム回転補助機構２０は樹脂製であることが望ましいが、安価で、かつ
、簡易に製作できるものであればどのような素材であってもかまわない。
【００３９】
係止部２１Ｂには孔２７を設けている。そして、バー２２の両端部の一部に孔７Ｄを設
けた場合、孔２７に支持軸２３の一端を通し、支持軸２３の他端をバー２２の孔７Ｄに通
す。又、バー２２に貫通した孔７Ｄを設けた場合、バー２２の貫通した孔７Ｄに支持軸２
３を貫通させ、ラップフィルム回転補助機構２０の両端にある係止部２１Ｂの孔２７に支
持軸２３を通す。ラップフィルム回転補助機構２０の本体２１の貼着部２１Ａの裏面には
、両面テープ等の貼着手段２４を設けている。そしてその貼着手段２４によってラップフ
ィルム収納箱１とラップフィルム回転補助機構２０が結合されることとなる。
【００４０】
ラップフィルム収納箱１の本体側２前面２Ａの略中央にラップフィルム５の端部５Ａを
摘むための孔２Ｄを設けているのは第１の実施例と同様である。従って、ラップフィルム
回転補助機構２０の本体２１は、ラップフィルム５の端部５Ａを摘むための孔２Ｄの周辺
部分は、欠截されている。
【００４１】
ラップフィルム収納箱１の上部２Ｃの一部を本体側２に折り込むことによって回転自在
のバー７を設けるスペースを設けている。
【００４２】
ラップフィルム回転補助機構２０の本体２１の貼着部２１Ａの上端部を折り曲げて載置
部２１Ｅとして、折り曲げた上端部である載置部２１Ｅがラップフィルム収納箱１の本体
側２の上部２Ｃに載置されるような構成となる。本体２１の長手方向Ｘ端部ＸＡにバー２
２挿入用の孔２７がある係止部２１Ｂを設けている。
【００４３】
図５は、本発明の第３の実施例７０であるラップフィルム回転補助機構２０をラップフ
ィルム収納箱１に取り付けた状態の斜視図である。本発明の第３の実施例７０のラップフ
ィルム回転補助機構２０は、ラップフィルム収納箱１から取り外し自在の構成となってい
る。
【００４４】
ラップフィルム収納箱１の上部２Ｃの一部を本体側２に折り込むことによって回転自在
のバー７を設けるスペースを設けている。
【００４５】
ラップフィルム回転補助機構２０の本体２１に差込部２１Ｃを設けている。一方、ラッ
プフィルム収納箱１の本体側２の前面２Ａにも切込部２Ｅを設けている。そして、差込部
２１Ｃを切込部２Ｅに挿入することによってラップフィルム収納箱１とラップフィルム回
転補助機構２０が固定されることとなる。なお、本図では、ラップフィルム回転補助機構
２０の差込部２１Ｃが４箇所、ラップフィルム収納箱１の切込部２Ｅも４箇所としている
が、ラップフィルム収納箱１とラップフィルム回転補助機構２０が固定されるのであれば
差込部２１Ｃ、切込部２Ｅは何箇所であってもよい。
【００４６】
ラップフィルム収納箱１本体側２の前面２Ａの略中央にラップフィルム５の端部５Ａを
摘むための孔２Ｄを設けているのは第１の実施例５０と同様である。従って、ラップフィ
ルム回転補助機構２０の本体２１は、ラップフィルム５の端部５Ａを摘むための孔２Ｄの
周辺部分は、欠截されている。
【００４７】
図６は、本発明の第４の実施例８０であるラップフィルム回転補助機構２０をラップフ
ィルム収納箱１に取り付けた状態の斜視図である。本発明は、ラップフィルム収納箱１に
取り付けるラップフィルム回転補助機構２０であり基本的な構成は第２の実施例６０や第
３の実施例７０と同様であるが、ラップフィルム回転補助機構２０の本体２１の貼着部２
１Ａの裏面には、両面テープ等の貼着手段２４を設けていない。従って、ラップフィルム
収納箱１とラップフィルム回転補助機構２０が結合されず、ラップフィルム回転補助機構
２０はラップフィルム収納箱１に自由な状態で係止されている。ラップフィルム５をスラ
イドカッター４で切断する場合は、ラップフィルム収納箱１の開放側３でラップフィルム
回転補助機構２０を被覆する。
【００４８】
図７は、本発明の第５の実施例９０であるラップフィルム収納箱１の斜視図である。本
発明の基本的な構成は、第１の実施例５０と同様であるが、ラップフィルム収納箱１の本
体側２の前面２Ａの略中央にラップフィルム５の端部５Ａを摘むための孔２Ｄを設けてお
らず、回転自在のバー７とフィルム貼着プレート８を設けている。
【００４９】
図８は、本発明の第３の実施例７０であるラップフィルム回転補助機構２０の展開図で
ある。より具体的には、図５の第３の実施例７０のラップフィルム回転補助機構２０を取
り外し、ラップフィルム回転補助機構２０の本体２１を展開したものである。
【００５０】
第３の実施例７０のラップフィルム回転補助機構２０の本体２１は、裏面部２１Ｄ、載
置部２１Ｅ、貼着部２１Ａ、差込部２１Ｃ、係止部２１Ｂからなる。ラップフィルム回転
補助機構２０の本体２１の大きさは、ラップフィルム収納箱１に合致する大きさであれば
どのような大きさであってもよい。一例を示すと、裏面部２１Ｇの幅方向Ｙは５ミリ、載
置部２１Ｃの幅方向Ｙは２ミリ程度のものが考えられる。
【００５１】
ラップフィルム回転補助機構２０の本体２１の組み立て方について説明すると、裏面部
２１Ｄと載置部２１Ｅとの境界線２１Ｆを山折りにする。次に、載置部２１Ｅと貼着部２
１Ａとの境界線２１Ｆを山折りにする。そして、係止部２１Ｂを起立させる。
【００５２】
このようにして組み立てたラップフィルム回転補助機構２０の本体２１は、載置部２１
Ｅがラップフィルム収納箱１の上部２Ｃに載置されるように取り付けられ、ラップフィル
ム回転補助機構２０の本体２１の差込部２１Ｃをラップフィルム収納箱１の本体側２の切
り込み部２Ｅに挿入することによってラップフィルム収納箱１とラップフィルム回転補助
機構２０が固定され、係止部２１Ｂの孔２７に支持軸２３を通すことによってバー２２が
回転する。差込部２１Ｃは、貼着部２１Ａと面一であってもよいが、テーパーを有するも
のとすることもできる。
【００５３】
図９は、本発明の第３の実施例７０であるラップフィルム回転補助機構２０の断面図で
ある。より具体的には、ラップフィルム回転補助機構２０の本体２１の差込部２１Ｃの辺
りで分断している。
【００５４】
載置部の２１Ｅ上にバー２２を設け、バー２２の中心部に支持軸２３を設けている。そ
して、貼着部２１Ａの両端部に差込部２１Ｃを設けているが、ラップフィルム収納箱１と
ラップフィルム回転補助機構２０とが固定できれば、貼着部２１Ａの一端にのみ設けるこ
とも可能である。なお本図では、差込部２１Ｃはテーパー形状を構成しているが、テーパ
ーを設けず、貼着部２１Ａと面一の構成とすることもできる。
【００５５】
図１０は、本発明の第６の実施例１００であるラップフィルム回転補助機構２０の要部
拡大図である。ラップフィルム収納箱１の本体側２の両端部２Ｂに孔６を設けている。そ
して、ラップフィルム回転補助機構２０のバー２２の両端部に孔２８を設け、孔２８に挿
入孔を設けた芯材２５の一端を差込み、バー２２と芯材２５を固定し、留め具２６をラッ
プフィルム収納箱１の本体側２の両端部２Ｂに設けている孔２８に挿入したうえで、芯材
２５の他端の挿入孔に留め具２６を挿入し、芯材２５と留め具２６が固定される。そして
、留め具を支点としてバー２２が回転し、ラップフィルム５の角が絡むことなく、ラップ
フィルム５をスムーズに取り出せる。また、ラップフィルム収納箱１の本体側２の両端部
２Ｂに設けた孔２８に芯材２５を挿入することができる大きさにして、芯材２５を支点と
してバー２２を回転させることもできる。
【００５６】
また図示してないが、バー２２に貫通した孔２８を設け、貫通した孔２８に支持軸２３
を貫通させ、孔を設けた留め具２６の孔に支持軸２３の両端部を挿入して、支持軸２３と
留め具２６を固定することも可能である。
【００５７】
この芯材２５や留め具２６の素材は、樹脂製、金属製、ゴム製等が考えられるが、簡易
かつ安価に製作できるものであればどのような素材であってもよい。また、素材の組み合
わせは任意であり、芯材２５のみ樹脂製で、留め具２６はゴム製等のような組み合わせで
あってもよい。
【図面の簡単な説明】
【００５８】
【図１】本発明の第１の実施例であるラップフィルム収納箱の斜視図である。
【図２】本発明の第１の実施例であるラップフィルム収納箱の断面図である。
【図３】本発明の第１の実施例であるラップフィルム収納箱の平面図である。
【図４】本発明の第２の実施例であるラップフィルム収納箱の斜視図である。
【図５】本発明の第３の実施例であるラップフィルム回転補助機構をラップフィルム    収納箱に取り付けた状態の斜視図である。
【図６】本発明の第４の実施例であるラップフィルム回転補助機構をラップフィルム    収納箱に取り付けた状態の斜視図である。
【図７】本発明の第５の実施例であるラップフィルム収納箱の斜視図である。
【図８】本発明の第３の実施例であるラップフィルム回転補助機構の展開図である。
【図９】本発明の第３の実施例であるラップフィルム回転補助機構の断面図である。
【図１０】本発明の第６の実施例であるラップフィルム回転補助機構の要部拡大図で    ある。
【符号の説明】
【００５９】
１          ラップフィルム収納箱
２          本体側
２Ａ        前面
２Ｂ        端部
２Ｃ        上部
２Ｄ        孔
２Ｅ        切込部
３          開放側
４          スライドカッター
５          ラップフィルム
５Ａ        端部
５Ｂ        紙筒
６          孔
７          バー
７Ａ        バー本体
７Ｂ        支持軸
７Ｃ        保持プレート
７Ｄ        孔
８          フィルム貼着プレート
１０        端部
２０        ラップフィルム回転補助機構
２１        本体
２１Ａ      貼着部
２１Ｂ      係止部
２１Ｃ      差込部
２１Ｄ      裏面部
２１Ｅ      載置部
２１Ｆ      境界線
２２        バー
２３        支持軸
２４        貼着手段
２５        芯材
２６        留め具
２７        孔
２８        孔
５０        第１の実施例
６０        第２の実施例
７０        第３の実施例
８０        第４の実施例
９０        第５の実施例
１００      第６の実施例
Ｘ          長手方向
ＸＡ        端部
Ｙ          幅方向
【図１】
0004064415.tif 000002
【図２】
0004064415.tif 000003
【図３】
0004064415.tif 000004
【図４】
0004064415.tif 000005
【図５】
0004064415.tif 000006
【図６】
0004064415.tif 000007
【図７】
0004064415.tif 000008
【図８】
0004064415.tif 000009
【図９】
0004064415.tif 000010
【図１０】
0004064415.tif 000011